(57)【特許請求の範囲】
【請求項１】
胴および裏蓋を有する外装ケースと、外部無線情報を受信するアンテナと、このアンテナで受信した外部無線情報を処理する受信手段と、前記アンテナおよび受信手段が内部に配置されて外装ケース内に収納されているモジュールとを備え、
前記裏蓋は、少なくとも一部が金属で構成され、
前記裏蓋に対向するモジュール底面には、裏蓋と当接する底部突出部および裏蓋から前記底部突出部の突出寸法分だけ離れて設けられた底部配置部が形成され、
前記底部配置部には、裏蓋より高透磁率かつ低導電率である底部磁性部材が前記アンテナとこのアンテナに最も近接する裏蓋との間に位置するように配置されており、
前記底部突出部の突出方向における前記底部磁性部材の厚さ寸法は、底部突出部の突出方向の寸法よりも小さく設定されている
ことを特徴とするアンテナ内蔵式電子時計。
【請求項２】
胴および裏蓋を有する外装ケースと、外部無線情報を受信するアンテナと、このアンテナで受信した外部無線情報を処理する受信手段と、前記アンテナおよび受信手段が内部に配置されて外装ケース内に収納されているモジュールとを備え、
前記胴および裏蓋は、それぞれ少なくとも一部が金属で構成され、
前記胴に対向するモジュール側面には、胴と当接する側部突出部および胴から前記側部突出部の突出寸法分だけ離れて設けられた側部配置部が形成され、
前記側部配置部には、胴より高透磁率かつ低導電率である側部磁性部材が前記アンテナとこのアンテナに最も近接する胴との間に位置するように配置されているとともに、
前記裏蓋に対向するモジュール底面には、裏蓋と当接する底部突出部および裏蓋から前記底部突出部の突出寸法分だけ離れて設けられた底部配置部が形成され、
前記底部配置部には、裏蓋より高透磁率かつ低導電率である底部磁性部材が前記アンテナとこのアンテナに最も近接する裏蓋との間に位置するように配置されており、
前記側部突出部および底部突出部の突出方向における前記側部磁性部材および底部磁性部材の各厚さ寸法は、側部突出部および底部突出部の突出方向の寸法よりもそれぞれ小さく設定されている
ことを特徴とするアンテナ内蔵式電子時計。
【請求項３】
請求項２に記載のアンテナ内蔵式電子時計において、
前記アンテナは、磁性体コアおよびこの磁性体コアに巻かれたコイルにより構成され、
前記磁性体コアは、前記コイルが巻かれているコア中央部およびこのコア中央部の両端に延設されたコア両端部により構成され、
前記磁性体コアは、前記コイルの軸線方向に沿って直線状に形成され、
前記側部磁性部材の一端部における前記コイルの軸線方向の位置は、前記コイルの軸線方向に沿ったコイルの一端部の位置から磁性体コアの一端部の位置の間とされ、
前記側部磁性部材の他端部における前記コイルの軸線方向の位置は、前記コイルの軸線方向に沿ったコイルの他端部の位置から磁性体コアの他端部の位置の間とされている
ことを特徴とするアンテナ内蔵式電子時計。
【請求項４】
請求項２に記載のアンテナ内蔵式電子時計において、
前記胴の内周面の平面形状は、円形に形成され、
前記アンテナは、磁性体コアおよびこの磁性体コアに巻かれたコイルにより構成され、
前記磁性体コアは、前記コイルが巻かれているコア中央部およびこのコア中央部の両端に延設されたコア両端部により構成され、
前記コア両端部は、前記胴の内周面に沿って平面円弧状に形成され、
前記側部磁性部材の一端部における位置が、前記コイルの一端部の位置よりも磁性体コアの一端部側とされ、かつ、前記胴の内周面が描く円の中心から磁性体コアの一端部に向かって伸びる直線がモジュール側面と交わる位置よりもコイル側とされ、
前記側部磁性部材の他端部における位置が、前記コイルの他端部の位置よりも磁性体コアの他端部側とされ、かつ、前記胴の内周面が描く円の中心から磁性体コアの他端部に向かって伸びる直線がモジュール側面と交わる位置よりもコイル側とされている
ことを特徴とするアンテナ内蔵式電子時計。
【請求項５】
請求項２から請求項４のいずれかに記載のアンテナ内蔵式電子時計において、
前記アンテナは、磁性体コアおよびこの磁性体コアに巻かれたコイルにより構成され、
前記磁性体コアは、前記コイルが巻かれているコア中央部およびこのコア中央部の両端に延設されたコア両端部により構成され、
前記側部磁性部材の上端部における前記モジュールの厚さ方向の位置は、前記モジュールの厚さ方向における磁性体コアの上端部より上方とされ、
前記側部磁性部材の下端部における前記モジュールの厚さ方向の位置は、前記モジュールの厚さ方向における磁性体コアの下端部より下方とされている
ことを特徴とするアンテナ内蔵式電子時計。
【請求項６】
請求項３から請求項５のいずれかに記載のアンテナ内蔵式電子時計において、
前記コア両端部におけるコア中央部に連続する部分で、前記胴側に面した側面には、傾斜面がそれぞれ設けられ、
各傾斜面は、前記コイルの軸線方向に対して、それぞれ他の傾斜面に対向する方向に傾斜している
ことを特徴とするアンテナ内蔵式電子時計。
【請求項７】
請求項３から請求項６のいずれかに記載のアンテナ内蔵式電子時計において、
前記コア両端部のコア中央部側の一端部および胴間の寸法が、前記コア両端部の他端部および胴間の寸法よりも大きく設定されている
ことを特徴とするアンテナ内蔵式電子時計。
【請求項８】
請求項１または請求項２に記載のアンテナ内蔵式電子時計において、
前記アンテナは、磁性体コアおよびこの磁性体コアに巻かれたコイルにより構成され、
前記底部磁性部材の一端部における前記コイルの軸線方向の位置は、前記コイルの軸線方向に沿ったコイルの一端部の位置から磁性体コアの一端部の位置の間とされ、
前記底部磁性部材の他端部における前記コイルの軸線方向の位置は、前記コイルの軸線方向に沿ったコイルの他端部の位置から磁性体コアの他端部の位置の間とされ、
前記底部磁性部材の両端部における前記コイルの軸線の直交方向の位置は、前記アンテナの幅方向の範囲よりも広い範囲を覆うように前記モジュール底面に配置されている
ことを特徴とするアンテナ内蔵式電子時計。
【発明の詳細な説明】
【技術分野】
【０００１】
本発明は、時刻情報等を含んだ外部無線情報を受信して時刻修正等の処理を行う電波修正時計に代表されるアンテナ内蔵式電子時計に関する。
【背景技術】
【０００２】
従来、外部からの時刻情報を受信して時刻修正を行う電波修正時計等のアンテナ内蔵式電子時計が知られている（例えば、特許文献１参照）。
従来のアンテナ内蔵式電子時計において、金属製の外装ケース内にアンテナを収納した場合、図１９に示すように、アンテナ１０で受信する電波の一部の磁束線１０２が外装ケース１０１内を通過し、外装ケース１０１内に渦電流１０３が発生する。
このように、アンテナ１０から発生する一部の磁束線１０２が外装ケース１０１内を通過する際に発生する渦電流損失により、従来のアンテナ内蔵式電子時計は、アンテナ１０のコイル１０４に誘導される交流電流が減少し、アンテナ特性が低下していた。
【０００３】
そこで、特許文献１のアンテナ内蔵式電子時計では、図２０に示すように、金属製の外装ケース１０１およびアンテナ１０間に、金属部品より磁化し易い高透磁率で、金属部品より渦電流を発生しにくい低導電性の磁性部材１０５を配置し、外装ケース１０１内を通過していた一部の磁束線１０２が磁性部材１０５内を通過するようにしている。これにより、渦電流の発生量が低減され、渦電流損失が小さくなることでアンテナ特性の低下を抑えていた。
【０００４】
【特許文献１】特開２００５−１６４３５４号公報
【発明の開示】
【発明が解決しようとする課題】
【０００５】
ところで、従来のアンテナ内蔵式電子時計における磁性部材は、外装ケースの内面に貼り付けられている。また、アンテナは、外装ケース内に収納されるモジュール（ムーブメント）の内部に配置されている。このため、外装ケースの内面に貼り付けられた磁性部材と、モジュールとの間には隙間が設けられ、モジュールの外周面が磁性部材に当接しないようにしている。
しかしながら、磁性部材とアンテナとの間隔が大きいほど磁性部材のアンテナ特性低下抑制の効果は小さくなるので、磁性部材とモジュール間に所定寸法の隙間が設けられると、その隙間分だけ磁性部材のアンテナ特性低下抑制の効果が小さくなっていた。
【０００６】
本発明の目的は、金属製の外装ケース内部に配置されているアンテナのアンテナ特性低下を効率よく抑制できるアンテナ内蔵式電子時計を提供することである。
【課題を解決するための手段】
【０００７】
本発明のアンテナ内蔵式電子時計は、胴および裏蓋を有する外装ケースと、外部無線情報を受信するアンテナと、このアンテナで受信した外部無線情報を処理する受信手段と、前記アンテナおよび受信手段が内部に配置されて外装ケース内に収納されているモジュールとを備え、前記裏蓋は、少なくとも一部が金属で構成され、前記裏蓋に対向するモジュール底面には、裏蓋と当接する底部突出部および裏蓋から前記底部突出部の突出寸法分だけ離れて設けられた底部配置部が形成され、前記底部配置部には、裏蓋より高透磁率かつ低導電率である底部磁性部材が前記アンテナとこのアンテナに最も近接する裏蓋との間に位置するように配置されており、前記底部突出部の突出方向における前記底部磁性部材の厚さ寸法は、底部突出部の突出方向の寸法よりも小さく設定されていることを特徴とする。
【０００８】
ここで、アンテナは、磁性材料で構成された磁性体コアおよびこの磁性体コアに巻かれたコイルにより構成されたものが利用できる。
側部磁性部材としては、シリコンゴム等のバインダーに、Ｆｅを主成分としたフェライト材やアモルファス材等の金属磁性粉末を分散させてシート状に形成されたものが利用できる。あるいは、シート状よりも高透磁率で磁気特性に優れているフェライト焼結材やアモルファス箔等の板状のものを使用することもできる。
【０００９】
本発明によれば、胴および裏蓋を有する外装ケースの内部にモジュールが収納されており、モジュールの内部には受信手段とともにアンテナが配置されている。このアンテナが外部無線情報（電波）を受信すると、アンテナ周辺に磁束線が発生する。この磁束線は、モジュール底面に形成された底部配置部において、アンテナとこのアンテナに最も接近する裏蓋との間に配置された底部磁性部材を通過する。この際、底部磁性部材は、少なくとも一部が金属で構成されている裏蓋よりも透磁率が高いので、磁束線が内部を通過し易く、また、裏蓋よりも導電率が低いので、磁束線が内部を通過しても渦電流がほとんど生じない。なお、底部配置部に底部磁性部材を配置する構成としては、底部配置部に底部磁性部材を接着剤等で密着させてもよいし、両面テープ等で貼り付けてもよいし、裏蓋とモジュールとの間に差し込んでモジュール側に配置してもよい。
【００１０】
さらに、磁束線には、アンテナから遠くなるほど磁束線の密度が小さくなるという特性がある。底部磁性部材が裏蓋から底部突出部の突出寸法分離れて設けた底部配置部に配置されているほうが、例えば裏蓋の内面に底部磁性部材が配置されている場合よりも、底部磁性部材はアンテナに近い配置となる。よって、底部磁性部材は、より多くの磁束線を通過させ易くなっている。
すると、磁束線は裏蓋をほとんど通過しなくなるので、裏蓋を通過することによる渦電流損失がほとんど生じない。従って、少なくとも一部が金属で構成された裏蓋を有する外装ケース内部に配置されているアンテナのアンテナ特性低下を効率よく抑制することができる。
【００１１】
一方、底部磁性部材をモジュール底面に配置する際に、裏蓋と底部磁性部材間に隙間が設けられると、外装ケースに収納されるモジュールの位置決めが不均一になってしまう恐れがある。
この発明によれば、裏蓋に対向するモジュール底面に、裏蓋と当接する底部突出部が形成されているので、底部突出部によってモジュールを外装ケースに均一に位置決めすることができる。
この際、底部磁性部材が配置される底部配置部は、裏蓋から底部突出部の突出寸法分だけ離れて形成され、底部磁性部材の厚さ寸法は、底部突出部の突出方向の寸法よりも小さく設定されているので、底部磁性部材と裏蓋とが当接することなく、モジュールを外装ケース内部にスムーズに収納することができ、底部磁性部材を保護することができる。
【００１２】
本発明のアンテナ内蔵式電子時計は、胴および裏蓋を有する外装ケースと、外部無線情報を受信するアンテナと、このアンテナで受信した外部無線情報を処理する受信手段と、前記アンテナおよび受信手段が内部に配置されて外装ケース内に収納されているモジュールとを備え、前記胴および裏蓋は、それぞれ少なくとも一部が金属で構成され、前記胴に対向するモジュール側面には、胴と当接する側部突出部および胴から前記側部突出部の突出寸法分だけ離れて設けられた側部配置部が形成され、前記側部配置部には、胴より高透磁率かつ低導電率である側部磁性部材が前記アンテナとこのアンテナに最も近接する胴との間に位置するように配置されているとともに、前記裏蓋に対向するモジュール底面には、裏蓋と当接する底部突出部および裏蓋から前記底部突出部の突出寸法分だけ離れて設けられた底部配置部が形成され、前記底部配置部には、裏蓋より高透磁率かつ低導電率である底部磁性部材が前記アンテナとこのアンテナに最も近接する裏蓋との間に位置するように配置されており、前記側部突出部および底部突出部の突出方向における前記側部磁性部材および底部磁性部材の各厚さ寸法は、側部突出部および底部突出部の突出方向の寸法よりもそれぞれ小さく設定されていることを特徴とする。
【００１３】
この発明によれば、前述の請求項１の発明と同様の効果を得ることができる。
さらに、本発明によれば、胴を有する外装ケースの内部にモジュールが収納されており、モジュールの内部には受信手段とともにアンテナが配置されている。このアンテナが外部無線情報（電波）を受信すると、アンテナ周辺に磁束線が発生する。この磁束線は、モジュール側面に形成された側部配置部において、アンテナとこのアンテナに最も接近する胴との間に配置された側部磁性部材を通過する。この際、側部磁性部材は、少なくとも一部が金属で構成されている胴よりも透磁率が高いので、磁束線が内部を通過し易く、また、胴よりも導電率が低いので、磁束線が内部を通過しても渦電流がほとんど生じない。なお、側部配置部に側部磁性部材を配置する構成としては、側部配置部に側部磁性部材を接着剤等で密着させてもよいし、両面テープ等で貼り付けてもよいし、胴とモジュールとの間に差し込んでモジュール側に配置してもよい。
【００１４】
さらに、磁束線には、アンテナから遠くなるほど磁束線の密度が小さくなるという特性がある。側部磁性部材が胴から側部突出部の突出寸法分離れて設けた側部配置部に配置されているほうが、例えば胴の内周面に側部磁性部材が配置されている場合よりも、側部磁性部材はアンテナに近い配置となる。よって、側部磁性部材はより多くの磁束線を通過させ易くなっている。
すると、磁束線は胴をほとんど通過しなくなるので、胴を通過することによる渦電流損失がほとんど生じない。従って、少なくとも一部が金属で構成された胴を有する外装ケース内部に配置されているアンテナのアンテナ特性低下を効率よく抑制することができる。
【００１５】
一方、側部磁性部材をモジュール側面に配置する際に、胴と側部磁性部材間に隙間が設けられると、外装ケースに収納されるモジュールの位置決めが不均一になってしまう恐れがある。
この発明によれば、胴に対向するモジュール側面に、胴と当接する側部突出部が形成されているので、側部突出部によってモジュールを外装ケースに均一に位置決めすることができる。
この際、側部磁性部材が配置される側部配置部は、胴から側部突出部の突出寸法分だけ離れて形成され、側部磁性部材の厚さ寸法は、側部突出部の突出方向の寸法よりも小さく設定されているので、側部磁性部材と胴とが当接することなく、モジュールを外装ケース内部にスムーズに収納することができ、側部磁性部材を保護することができる。
さらに、胴および裏蓋をすべて金属で構成した外装ケースであっても、この外装ケース内部に配置されているアンテナのアンテナ特性低下を効率よく抑制することができるとともに、アンテナ内蔵式電子時計の外観を向上させ商品価値を高めることができる。
【００１６】
本発明のアンテナ内蔵式電子時計では、前記アンテナは、磁性体コアおよびこの磁性体コアに巻かれたコイルにより構成され、前記磁性体コアは、前記コイルが巻かれているコア中央部およびこのコア中央部の両端に延設されたコア両端部により構成され、前記磁性体コアは、前記コイルの軸線方向に沿って直線状に形成され、前記側部磁性部材の一端部における前記コイルの軸線方向の位置は、前記コイルの軸線方向に沿ったコイルの一端部の位置から磁性体コアの一端部の位置の間とされ、前記側部磁性部材の他端部における前記コイルの軸線方向の位置は、前記コイルの軸線方向に沿ったコイルの他端部の位置から磁性体コアの他端部の位置の間とされていることが好ましい。
【００１７】
この発明によれば、側部磁性部材の一端部および他端部におけるコイルの軸線方向の位置は、コイルの軸線方向に沿ったコイルの一端部および他端部の位置よりもそれぞれ磁性体コアの先端側の位置とされている。つまり、側部磁性部材が少なくともコイルの両端部よりも突出して磁性体コアの先端部側まで配置されているので、磁性体コアの一端から出て、他端へ入る磁束線を側部磁性部材の内部に効率よく通過させることができる。従って、アンテナのアンテナ特性低下を効率よく抑制することができる。
また、側部磁性部材が磁性体コアの範囲よりも広い範囲を覆うように配置された場合、側部磁性部材が磁性体コアの端面から入る電波の受信を阻害してアンテナの受信感度が悪化する心配がある。この発明によれば、側部磁性部材の一端部および他端部におけるコイルの軸線方向の位置は、コイルの軸線方向に沿った磁性体コアの一端部および他端部の位置よりもそれぞれコイル側の位置とされている。磁束線は、コア両端部の表面に直交する方向に向かって磁性体コアの外部へ出るという特性があるので、磁性体コアがコイルの軸線方向に沿って直線状に形成されている場合には、コイルの軸線方向において磁性体コアの範囲を覆うように側部磁性部材を配置することによって、磁性体コアの両端から発生する磁束線を側部磁性部材の内部に効率よく通過させることができるとともに、良好なアンテナの受信感度を得ることができる。
【００１８】
本発明のアンテナ内蔵式電子時計では、前記胴の内周面の平面形状は、円形に形成され、前記アンテナは、磁性体コアおよびこの磁性体コアに巻かれたコイルにより構成され、前記磁性体コアは、前記コイルが巻かれているコア中央部およびこのコア中央部の両端に延設されたコア両端部により構成され、前記コア両端部は、前記胴の内周面に沿って平面円弧状に形成され、前記側部磁性部材の一端部における位置が、前記コイルの一端部の位置よりも磁性体コアの一端部側とされ、かつ、前記胴の内周面が描く円の中心から磁性体コアの一端部に向かって伸びる直線がモジュール側面と交わる位置よりもコイル側とされ、前記側部磁性部材の他端部における位置が、前記コイルの他端部の位置よりも磁性体コアの他端部側とされ、かつ、前記胴の内周面が描く円の中心から磁性体コアの他端部に向かって伸びる直線がモジュール側面と交わる位置よりもコイル側とされていることが好ましい。
【００１９】
この発明によれば、側部磁性部材の一端部および他端部における胴の内周方向の位置は、胴の内周面が描く円の中心から磁性体コアの一端部および他端部に向かって伸びる各直線とモジュール側面との交わる位置よりもそれぞれコイル側の位置とされている。磁束線は、コア両端部の表面に直交する方向に向かって磁性体コアの外部へ出るという特性があるので、コア両端部が平面円弧状に形成されている場合には、胴の内周方向において磁性体コアの範囲を覆うように側部磁性部材を配置することによって、磁性体コアの両端から発生する磁束線を側部磁性部材の内部に効率よく通過させることができるとともに、良好なアンテナの受信感度を得ることができる。
【００２０】
本発明のアンテナ内蔵式電子時計では、前記アンテナは、磁性体コアおよびこの磁性体コアに巻かれたコイルにより構成され、前記磁性体コアは、前記コイルが巻かれているコア中央部およびこのコア中央部の両端に延設されたコア両端部により構成され、前記側部磁性部材の上端部における前記モジュールの厚さ方向の位置は、前記モジュールの厚さ方向における磁性体コアの上端部より上方とされ、前記側部磁性部材の下端部における前記モジュールの厚さ方向の位置は、前記モジュールの厚さ方向における磁性体コアの下端部より下方とされていることが好ましい。
【００２１】
この発明によれば、側部磁性部材の上端部におけるモジュールの厚さ方向の位置は、モジュールの厚さ方向における磁性体コアの上端部より上方とされ、側部磁性部材の下端部におけるモジュールの厚さ方向の位置は、モジュールの厚さ方向における磁性体コアの下端部より下方とされている。つまり、モジュールの厚さ方向において、側部磁性部材が少なくとも磁性体コアの両端部を覆うように配置されているので、磁性体コアの一端から出て、他端へ入る磁束線を側部磁性部材の内部に効率よく通過させることができる。従って、アンテナのアンテナ特性低下を効率よく抑制することができる。
【００２２】
本発明のアンテナ内蔵式電子時計では、前記コア両端部におけるコア中央部に連続する部分で、前記胴側に面した側面には、傾斜面がそれぞれ設けられ、各傾斜面は、前記コイルの軸線方向に対して、それぞれ他の傾斜面に対向する方向に傾斜していることが好ましい。
【００２３】
ここで、各傾斜面とは、コア中央部の一端に延設された一方のコア両端部に設けられた傾斜面と、コア中央部の他端に延設された他方のコア両端部に設けられた傾斜面とを示している。
アンテナのコイルを通過する電波の磁束線は、コイルの巻かれていない一方のコア両端部の表面からこの表面に直交する方向に向かって磁性体コアの外部へ出るという特性がある。この磁束線は、アンテナ周囲の空間を通過して、他方のコア両端部の表面へこの表面に直交する方向で磁性体コアの内部に入る。この際、コア両端部の表面がどの方向を向いているかによって、磁束線の通路が変化する。
【００２４】
この発明によれば、磁束線が出入するコア両端部におけるコア中央部に連続する部分で、胴に面した側面に、傾斜面がそれぞれ形成されている。各傾斜面は、コイルの軸線方向に対して、それぞれ他方の傾斜面に対向する方向に傾斜している。このため、傾斜面が形成されておらずコア両端部の側面がコイルの軸線方向に対して平行である場合と比べて、磁束線は、一方の傾斜面から他方の傾斜面に接近した方向に出ていき、コイルに近い空間を通って他方の傾斜面に入っていく。
【００２５】
このように、各傾斜面を結ぶ磁束線の通路を、これらの傾斜面が形成されていない場合よりもアンテナに近づけることができる。そうすると、アンテナとモジュール側面との間の空間を通過する磁束線の量が増えて、傾斜面が形成されていない場合に側部磁性部材を通過していた磁束線の一部が空間を通過するようになる。側部磁性部材を磁束線が通過した場合、僅かではあるが渦電流が発生する。この渦電流は外装ケースを通過する場合に比べれば非常に小さいが、損失は発生する。これに対し、磁束線の一部でも空間を通過させれば、その分、渦電流損失を低減できる。従って、アンテナのアンテナ特性低下を効率よく抑制することができる。
【００２６】
本発明のアンテナ内蔵式電子時計では、前記コア両端部のコア中央部側の一端部および胴間の寸法が、前記コア両端部の他端部および胴間の寸法よりも大きく設定されていることが好ましい。
【００２７】
この発明によれば、コイルとこのコイルに最も近接する胴との間の空間が大きく設定されるので、コア両端部のコア中央部側一端部から出る磁束線は、コイルと胴との間の空間を通過することができる。従って、アンテナのアンテナ特性低下を効率よく抑制することができる。
【００２８】
本発明のアンテナ内蔵式電子時計では、前記アンテナは、磁性体コアおよびこの磁性体コアに巻かれたコイルにより構成され、前記底部磁性部材の一端部における前記コイルの軸線方向の位置は、前記コイルの軸線方向に沿ったコイルの一端部の位置から磁性体コアの一端部の位置の間とされ、前記底部磁性部材の他端部における前記コイルの軸線方向の位置は、前記コイルの軸線方向に沿ったコイルの他端部の位置から磁性体コアの他端部の位置の間とされ、前記底部磁性部材の両端部における前記コイルの軸線の直交方向の位置は、前記アンテナの幅方向の範囲よりも広い範囲を覆うように前記モジュール底面に配置されていることが好ましい。
【００２９】
この発明によれば、底部磁性部材の一端部および他端部におけるコイルの軸線方向の位置は、コイルの軸線方向に沿ったコイルの一端部および他端部の位置よりもそれぞれ磁性体コアの先端側の位置とされている。つまり、底部磁性部材が少なくともコイルの両端部よりも突出して磁性体コアの先端部側まで配置されているので、磁性体コアの一端から出て、他端へ入る磁束線を底部磁性部材の内部に効率よく通過させることができる。従って、アンテナのアンテナ特性低下を効率よく抑制することができる。
また、底部磁性部材が磁性体コアの範囲よりも広い範囲を覆うように配置された場合、底部磁性部材が磁性体コアの端面から入る電波の受信を阻害してアンテナの受信感度が悪化する心配がある。この発明によれば、底部磁性部材の一端部および他端部におけるコイルの軸線方向の位置は、コイルの軸線方向に沿った磁性体コアの一端部および他端部の位置よりもそれぞれコイル側の位置とされている。つまり、底部磁性部材が磁性体コアの範囲よりも小さい範囲を覆うように配置されているので、良好なアンテナの受信感度を得ることができるとともに、アンテナのアンテナ特性低下を効率よく抑制することができる。
【００３０】
一方、この発明によれば、底部磁性部材の両端部におけるコイルの軸線の直交方向の位置は、アンテナの幅方向の範囲よりも広い範囲を覆うようにモジュール底面に配置されている。よって、磁性体コアの一端から出て、他端へ入る磁束線を底部磁性部材の内部に効率よく通過させることができる。従って、アンテナのアンテナ特性低下を効率よく抑制することができる。
【発明の効果】
【００３１】
本発明のアンテナ内蔵式電子時計によれば、少なくとも一部が金属で構成された胴あるいは少なくとも一部が金属で構成された裏蓋を有する外装ケース内部に配置されているアンテナのアンテナ特性低下を効率よく抑制することができるという効果がある。
【発明を実施するための最良の形態】
【００３２】
以下、本発明の実施の形態を図面に基づいて説明する。なお、以下の説明にあたって、同一構成要件については、同一符号を付し、その説明を省略もしくは簡略化する。
図１は、本発明の一実施形態に係るアンテナ内蔵式電子時計としての電波修正時計１の正面図である。
電波修正時計１は、指針１１，１２，１３および文字板１４を備えた指針式時計（アナログ時計）である。この時計１の内部には、時刻情報を含む電波（外部無線情報）を受けるアンテナ２１が配置されている。
【００３３】
次に、電波修正時計１の構成に関し、図２のブロック図に基づいて説明する。
電波修正時計１は、受信した電波を処理する受信手段２と、駆動制御回路部３と、指針を駆動する駆動手段４と、時刻をカウントするカウンタ部６と、電力を供給する電力供給手段７および、リュウズ等の外部入力装置８とを備えて構成されている。
【００３４】
受信手段２は、電波を受信するアンテナ２１と、コンデンサ等で構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
【００３５】
同調回路部２２は、図３に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００３６】
受信回路部２３は、図３に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５と、を備えて構成されている。
受信回路部２３で受信され信号処理された時刻データは、図２に示すように、時刻データ記憶回路部２４に出力されて記憶される。
受信回路部２３は、予め設定されたスケジュールや外部入力装置８による強制受信操作等によって、駆動制御回路部３から出力される受信制御信号に基づいて時刻情報の受信を開始する。
【００３７】
駆動制御回路部３には、図２に示されるように、パルス合成回路３１からのパルス信号が入力される。パルス合成回路３１は、水晶振動子等の基準振動子３１１からの基準パルスを分周してクロックパルスを生成し、また、基準パルスからパルス幅やタイミングの異なるパルス信号を発生させる。
【００３８】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、文字板、モータ４１１，４２１、駆動回路４１，４２によって時刻を表示する時刻表示手段が構成されている。なお、時刻表示手段としては、１つのモータで、時針、分針、秒針を駆動するものでもよい。
【００３９】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンタ値が修正される。
【００４０】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス）をカウントする（正確には１Ｈｚを６０回計数したところで１カウントとする）。また、受信手段２で時刻データを受信した場合には、この時刻データのうちの時分データに合わせてカウンタ値が修正される。
【００４１】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００４２】
電力供給手段７は、自動巻発電機や太陽電池（ソーラー発電機）等によって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池等の一次電池を用いてもよい。
外部入力手段としての外部入力装置８は、リュウズ等を備え、受信動作や時刻合わせ等を行うために利用される。
【００４３】
次に、電波修正時計１の構造について、図４，５に基づいて説明する。
電波修正時計１は、リング状に形成されたケーシング（胴）９１と、ケーシング９１の表面側に装着されたカバーガラス９２と、ケーシング９１の裏面側に着脱可能に取り付けられた裏蓋９３とを備えている。ケーシング９１および裏蓋９３は、ステンレス鋼、真鍮、チタン等の金属材で構成されている。これらケーシング９１、カバーガラス９２および裏蓋９３によって、本実施形態における外装ケース９が構成されている。この外装ケース９内には、モジュール（ムーブメント）９４が収納されており、このモジュール９４の内部にはアンテナ２１や受信手段等が配置されている。
【００４４】
アンテナ２１は、磁性体コア２１１およびこの磁性体コア２１１に巻かれたコイル２１２により構成されている。
磁性体コア２１１は、例えば、コバルト系のアモルファス箔（例；Ｃｏ５０ｗｔ％以上のアモルファス箔）を型で打ち抜くか、エッチングで成形したものを１０〜３０枚程接着して重ね合わせ、焼鈍等の熱処理を行って磁気特性を安定化させたものである。すなわち、磁性体コア２１１は、平面状のアモルファス箔を時計の厚み方向に積層して構成されている。なお、磁性体コア２１１としては、積層アモルファス箔に限定されず、フェライトを用いてもよく、この場合には、型等で成形し、熱処理して製造すればよい。
【００４５】
磁性体コア２１１は、コイル２１２が巻かれているコア中央部２１１Ａおよびこのコア中央部２１１Ａの両端に延設されたコア両端部２１１Ｂによって構成されている。
コア中央部２１１Ａは、図５に示すように、断面が正方形で平面が長方形状に形成されている。
コア両端部２１１Ｂは、図４に示すように、平面形状がケーシング９１の内周とほぼ同心円の円弧状に形成されており、ケーシング９１の内面に沿って配置されている。また、コア両端部２１１Ｂにおけるコア中央部２１１Ａに連続する部分で、ケーシング９１側に面した側面には、傾斜面２１１Ｃ，２１１Ｄがそれぞれ設けられている。
各傾斜面２１１Ｃ，２１１Ｄは、コイル２１２の軸線方向に対して、それぞれ他の傾斜面２１１Ｃ，２１１Ｄに対向する方向に傾斜している。つまり、各傾斜面２１１Ｃ，２１１Ｄと、これらに隣接するコイル２１２の各端面２１２Ａ，２１２Ｂとが成す角（図４中の角度θ１，θ２）が鋭角になるように設定されている。このように各傾斜面２１１Ｃ，２１１Ｄが設定されていると、各傾斜面２１１Ｃ，２１１Ｄの法線が交差する。
【００４６】
コイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。
【００４７】
モジュール９４は、アナログ式電子時計の場合は、時計機構部のことを指し、平面円形状で、内部には前述の各構成が組み込まれている。すなわち、モジュール９４には、図２に示す、アンテナ２１を含む受信手段２と、駆動制御回路部３と、駆動手段４と、カウンタ部６と、電力供給手段７とが組み込まれている。
図５に示すように、ケーシング９１に対向するモジュール９４の側面には、ケーシング９１と当接する側部突出部９４１、および、ケーシング９１から側部突出部９４１の突出寸法分だけ離れて設けられた側部配置部９４２が形成されている。
モジュール９４は、ケーシング９１に収納される際、側部突出部９４１がケーシング９１の内面と当接することでケーシング９１内での平面上の位置が固定される。
側部配置部９４２には、ケーシング９１より透磁率が高く導電率が低い磁性部材で構成されたシート状で可撓性の側部磁性部材９５が、アンテナ２１とこのアンテナ２１に最も近接するケーシング９１との間に位置するように密着して配置されている。
ここで、側部突出部９４１の突出方向における側部磁性部材９５の厚さ寸法は、側部突出部９４１の突出方向の寸法よりも小さく設定されており、側部磁性部材９５とケーシング９１との間には、隙間が設けられている。
【００４８】
また、裏蓋９３に対向するモジュール９４の底面には、裏蓋９３と当接する底部突出部９４３、および、裏蓋９３から底部突出部９４３の突出寸法分だけ離れて設けられた底部配置部９４４が形成されている。
モジュール９４は、ケーシング９１に収納され裏蓋９３で覆われる際、底部突出部９４３が裏蓋９３の内面と当接することでケーシング９１内でのモジュール９４の厚さ方向の位置が固定される。
底部配置部９４４には、裏蓋９３より透磁率が高く導電率が低い磁性部材で構成されたシート状の底部磁性部材９６が、アンテナ２１とこのアンテナ２１に最も近接する裏蓋９３との間に位置するように密着して配置されている。
ここで、底部突出部９４３の突出方向における底部磁性部材９６の厚さ寸法は、底部突出部９４３の突出方向の寸法よりも小さく設定されており、底部磁性部材９６と裏蓋９３との間には、隙間が設けられている。
【００４９】
側部磁性部材９５の一端部における位置は、コイル２１２の一端部の位置よりも磁性体コア２１１の一端部である一方のコア両端部２１１Ｂ側とされ、また、側部磁性部材９５の他端部における位置は、コイル２１２の他端部の位置よりも磁性体コア２１１の他端部である他方のコア両端部２１１Ｂ側とされている。つまり、側部磁性部材９５が少なくともコイル２１２の両端部（図４中の範囲Ａ２）を覆うように配置されている。
一方、側部磁性部材９５の一端部における位置は、ケーシング９１の内周面が描く円の中心Ｏ１から一方のコア両端部２１１Ｂの先端位置に向かって伸びる直線がモジュール９４側面と交わる位置よりもコイル２１２側とされ、また、側部磁性部材９５の他端部における位置は、ケーシング９１の内周面が描く円の中心Ｏ１から他方のコア両端部２１１Ｂの先端位置に向かって伸びる直線がモジュール９４側面と交わる位置よりもコイル２１２側とされている。つまり、側部磁性部材９５がケーシング９１の内周方向における磁性体コア２１１の一端から他端までの範囲（図４中の範囲Ａ１）よりも小さい範囲を覆うように配置されている。
【００５０】
側部磁性部材９５の上端部におけるモジュール９４の厚さ方向の位置は、モジュール９４の厚さ方向における磁性体コア２１１の上端部より上方とされ、また、側部磁性部材９５の下端部におけるモジュール９４の厚さ方向の位置は、モジュール９４の厚さ方向における磁性体コア２１１の下端部より下方とされている。つまり、側部磁性部材９５が少なくとも磁性体コア２１１の両端部（図５中の範囲Ｂ）を覆うように配置されている。
【００５１】
底部磁性部材９６の一端部におけるコイル２１２の軸線方向の位置は、コイル２１２の軸線方向に沿ったコイル２１２の一端部の位置から磁性体コア２１１の一端部である一方のコア両端部２１１Ｂの先端の位置の間とされ、また、底部磁性部材９６の他端部におけるコイル２１２の軸線方向の位置は、コイル２１２の軸線方向に沿ったコイル２１２の他端部の位置から磁性体コア２１１の他端部である他方のコア両端部２１１Ｂの先端の位置の間とされている。つまり、底部磁性部材９６が少なくともコイル２１２の両端部を覆うように配置され、かつ、磁性体コア２１１一端から他端までの範囲（図４中の範囲Ｆ）よりも小さい範囲を覆うように配置されている。
【００５２】
底部磁性部材９６の両端部におけるコイル２１２の軸線の直交方向の位置は、アンテナ２１の幅方向の範囲（図４中の範囲Ｃ）よりも広い範囲を覆うようにモジュール９４底面に配置されている。
【００５３】
各磁性部材９５，９６は、シリコンゴム等のバインダーに、Ｆｅを主成分としたフェライト材やアモルファス材等の金属磁性粉末を分散させてシート状に形成されている。そして、各磁性部材９５，９６は、モジュール９４の各配置部９４２，９４４に両面テープや接着剤によって貼り付けられている。
ここで、各突出部９４１，９４３の突出寸法を大きく設定してもケーシング９１やモジュール９４の強度を確保することができる場合には、各磁性部材９５，９６としては、シート状よりも高透磁率で磁気特性に優れているフェライト焼結材やアモルファス箔等の板状のものを使用することもできる。ただし、フェライト焼結材は、衝撃で割れ易いことや複雑な形状の加工が困難であること等の欠点がある。そのため、本実施形態のように、モジュール９４の外周に貼り付ける際には、曲げ易いシート状の磁性部材のほうが好ましい。
また、各磁性部材９５，９６として、前述のシート状や板状のように１部品として組み込まれるものの他に、モジュール９４の各配置部９４２，９４４に、蒸着メッキのように被膜形成によって接着された形態のものであってもよい。
【００５４】
このような構成の電波修正時計１において、アンテナ２１が電波を受信する際には、図６に示すように、磁束線９７Ａ〜Ｄが発せられる。図６ではコア両端部２１１Ｂからケーシング９１側へ発せられる磁束線９７Ａ〜Ｄを模式的に示している。
【００５５】
従って、本実施形態によれば、次の効果を奏することができる。
（１）磁束線はケーシング９１および裏蓋９３をほとんど通過しなくなるので、ケーシング９１および裏蓋９３を通過することによる渦電流損失がほとんど生じない。従って、少なくとも一部が金属で構成された外装ケース９内部に配置されていているアンテナ２１のアンテナ特性低下を効率よく抑制することができる。
詳しくは、図７に基づいて説明する。アンテナ２１から発せられる磁束線９７は、磁性体コア２１１から放射状に広がっており、各磁束線９７の間隔が大きいほど磁束線９７の密度が小さいので、アンテナ２１から遠くなるほど磁束線９７の密度が小さくなっている。このような磁束線９７に対して、同じ断面形状の磁性部材９５１，９５２をアンテナ２１に対してそれぞれ異なる間隔で配置した場合、アンテナ２１に近い磁性部材９５１のほうが、通過する磁束線９７の量が多くなる。
そこで、図５に示すように、側部磁性部材９５および底部磁性部材９６がケーシング９１および裏蓋９３から側部突出部９４１および底部突出部９４３の各突出寸法分だけ離れて設けられた側部配置部９４２および底部配置部９４４にそれぞれ密着して配置されているほうが、例えばケーシング９１の内周面や裏蓋９３の内面に各磁性部材９５，９６が配置されている場合よりも、各磁性部材９５，９６はアンテナ２１に近い配置となる。よって、磁束線の多くが、各磁性部材９５，９６を通過し易くなって、ケーシング９１および裏蓋９３を通過することによる渦電流損失がほとんど生じないので、アンテナ２１のアンテナ特性低下を効率よく抑制することができる。
【００５６】
（２）ケーシング９１および裏蓋９３に対向するモジュール９４の側面および底面には、ケーシング９１および裏蓋９３にそれぞれ当接する複数の側部突出部９４１および底部突出部９４３が形成されているので、モジュール９４が外装ケース９に収納される際、モジュール９４を外装ケース９に均一に位置決めすることができる。
【００５７】
（３）側部磁性部材９５が配置される側部配置部９４２は、ケーシング９１から側部突出部９４１の突出寸法分離れて形成され、側部磁性部材９５の厚さ寸法は、側部突出部９４１の突出方向の寸法よりも小さく設定されている。また、底部磁性部材９６が配置される底部配置部９４４は、裏蓋９３から底部突出部９４３の突出寸法分離れて形成され、底部磁性部材９６の厚さ寸法は、底部突出部９４３の突出方向の寸法よりも小さく設定されている。従って、側部磁性部材９５とケーシング９１とが当接することなく、また、底部磁性部材９６と裏蓋９３とが当接することもないので、モジュール９４を外装ケース９内部にスムーズに収納することができ、側部磁性部材９５および底部磁性部材９６を保護することができる。
【００５８】
（４）ケーシング９１および裏蓋９３をすべて金属で構成した外装ケース９であっても、この外装ケース９内部に配置されていているアンテナ２１のアンテナ特性低下を効率よく抑制することができるとともに、電波修正時計１の外観を向上させ商品価値を高めることができる。
【００５９】
（５）側部磁性部材９５および底部磁性部材９６を外装ケース９の内面に配置する場合には、モジュール９４を外装ケース９に収納する際に、モジュール９４内のアンテナ２１と外装ケース９内面に配置された各磁性部材９５，９６の位置合わせをする必要が生じる。その点、本実施形態では、各磁性部材９５，９６をモジュール９４外面に配置する際に容易にモジュール９４内のアンテナ２１と各磁性部材９５，９６の位置合わせをすることができるので、モジュール９４を外装ケース９に収納する際の位置合わせ作業を簡略化することができる。
【００６０】
（６）側部磁性部材９５がモジュール９４側面において少なくともコイル２１２の両端部を覆うように配置されており、かつ、磁性体コア２１１の一端部から他端部までの範囲より小さい範囲を覆うように配置されている。また、モジュールの厚さ方向において、側部磁性部材９５が少なくとも磁性体コア２１１の両端部を覆うように配置されている。よって、アンテナ２１からケーシング９１に向かって発せられる磁束線を側部磁性部材９５の内部に効率よく通過させることができる。従って、良好なアンテナ２１の受信感度を得ることができるとともに、アンテナ２１のアンテナ特性低下を効率よく抑制することができる。
【００６１】
（７）底部磁性部材９６がモジュール９４底面においてコイル２１２の軸線方向に沿った少なくともコイル２１２の両端部を覆うように配置されており、かつ、磁性体コア２１１の一端部から他端部までの範囲よりも小さい範囲を覆うように配置されている。また、コイル２１２の軸線の直交方向に沿った底部磁性部材９６の両端部は、アンテナ２１の幅方向の範囲よりも広い範囲を覆うように配置されている。よって、アンテナ２１から裏蓋９３に向かって発せられる磁束線を底部磁性部材９６の内部に効率よく通過させることができる。従って、良好なアンテナ２１の受信感度を得ることができるとともに、アンテナ２１のアンテナ特性低下を効率よく抑制することができる。
【００６２】
（８）一方の傾斜面２１１Ｄから他方の傾斜面２１１Ｃを結ぶ磁束線の通路を、これらの傾斜面２１１Ｃ、２１１Ｄが形成されていない場合よりもアンテナ２１に近づけて短い通路とすることができる（図６中の磁束線９７Ａ）。そうすると、アンテナ２１とモジュール９４側面との間の空気層を通過する磁束線の量が増えて、傾斜面２１１Ｃ、２１１Ｄが形成されていない場合にケーシング９１を通過していた磁束線の一部が側部磁性部材９５を通過するようになる。従って、アンテナ２１のアンテナ特性低下を効率よく抑制することができる。
すなわち、磁束線は、一方のコア両端部２１１Ｂの表面からその表面の法線方向に向かって磁性体コア２１１の外部へ出て、アンテナ２１周囲の空間を通過し、他方のコア両端部２１１Ｂの表面へその表面の法線方向に向かって磁性体コア２１１の内部に入るという特性がある。本実施形態ではコア両端部２１１Ｂに傾斜面２１１Ｃ、２１１Ｄをそれぞれ形成し、一方の傾斜面２１１Ｃは、コイル２１２の軸線方向に対して、他方の傾斜面２１１Ｄに対向する方向に傾斜している。つまり、各傾斜面２１１Ｃ，２１１Ｄの法線が交差する。そうすると、例えば、傾斜面２１１Ｃ、２１１Ｄが形成されておらずコア両端部２１１Ｂの側面がコイル２１２の軸線方向に対して平行である場合と比べて、磁束線は、一方の傾斜面２１１Ｄから他方の傾斜面２１１Ｃに接近した方向に出ていき、コイル２１２に近い空気層を通って他方の傾斜面２１１Ｃに入っていく。このようにして、傾斜面２１１Ｃ、２１１Ｄが形成されていない場合にケーシング９１を通過していた磁束線の一部が側部磁性部材９５を通過するようになり、アンテナ２１のアンテナ特性低下を効率よく抑制することができる。
【００６３】
（９）側部磁性部材９５および底部磁性部材９６をモジュール９４側面および底面に配置したので、側部配置部９４２とケーシング９１間および底部配置部９４４と裏蓋９３間にそれぞれ隙間が設けられている。しかし、モジュール９４側面および底面にはそれぞれ側部突出部９４１および底部突出部９４３が形成されているので、モジュール９４は外装ケース９内に均一に位置決めされ、落下等の衝撃に対して強い構造とすることができる。
【００６４】
なお、本発明は前述の実施形態に限定されるものではなく、本発明の目的を達成できる範囲での変形、改良等は本発明に含まれるものである。
例えば、前記実施形態では、モジュール９４の側部配置部９４２には、シート状で可撓性の側部磁性部材９５が両面テープや接着剤によって貼り付けられていたが、本発明では、図８，９に示すように、平面円弧状に形成された板状の側部磁性部材９５をモジュール９４Ａとケーシング９１との間に差し込むことによって、側部磁性部材９５を側部配置部９４２に配置してもよい。この際、モジュール９４Ａの側面には、モジュール９４Ａの周方向において側部磁性部材９５を挟む位置に、近接するケーシング９１に向かって第１および第２の張出部９４５，９４６がそれぞれ張り出されている。これら第１，第２張出部９４５，９４６によって、側部磁性部材９５におけるモジュール９４Ａ側面の周方向の位置を規制することができる。あるいは、図１０，１１に示すように、モジュール９４Ｂの周方向において側部磁性部材９５を挟む位置に、側部突出部９４１から裏蓋９３に向かって第３および第４の張出部９４７，９４８がそれぞれ張り出されていてもよい。これら第３，第４張出部９４７，９４８によっても、側部磁性部材９５におけるモジュール９４Ｂ側面の周方向の位置を固定することができる。
【００６５】
また、側部磁性部材９５は、図４中の範囲Ａ２よりも大きく、範囲Ａ１よりも小さい範囲に配置されていたが、本発明では、図１２に示すように、側部磁性部材９５Ａは、範囲Ａ１において最も長い幅になるように配置されていてもよい。すなわち、ケーシング９１の内周面の平面形状が円形に形成され、コア両端部２１１Ｂがケーシング９１の内周面に沿って平面円弧状に形成されている場合には、側部磁性部材９５Ａの一端部の位置は、ケーシング９１の内周面が描く円の中心Ｏ１から磁性体コア２１１の一端部である一方のコア両端部２１１Ｂの先端位置に向かって伸びる直線がモジュール９４側面と交わる位置とされているとともに、側部磁性部材９５Ａの他端部における位置は、円の中心Ｏ１から他方のコア両端部２１１Ｂの先端位置に向かって伸びる直線がモジュール９４側面と交わる位置とされていてもよい。（図１２中の範囲Ａ１）。
このような構成によれば、磁束線は、コア両端部２１１Ｂの表面に直交する方向に向かって磁性体コア２１１の外部へ出るという特性があるので、コア両端部２１１Ｂが平面円弧状に形成されている場合には、ケーシング９１の内周方向において磁性体コア２１１の範囲を覆うように側部磁性部材９５Ａを配置することによって、磁性体コア２１１の最先端から発生する磁束線をも側部磁性部材９５Ａの内部にさらに効率よく通過させることができるとともに、良好なアンテナの受信感度を得ることができる。
【００６６】
また、前記実施形態では、コア両端部２１１Ｂに傾斜面２１１Ｃ，２１１Ｄが形成されていたが、本発明では、図１３に示すように、アンテナ２１としては、コア両端部２１１Ｂに傾斜面が形成されていないものでもよい。
【００６７】
また、本発明では、図１４に示すように、アンテナ２１としては、コア両端部２１１Ｂの軸線に直交する方向の幅が広くされているものでもよい。このように、コア両端部２１１Ｂの平面における面積が大きく設定されると、アンテナ２１はコア両端部２１１Ｂを通じて電波の取り込みが容易になる。従って、アンテナ２１の電波受信感度を向上させることができる。さらに、アンテナ２１は、図１５に示すように、コア両端部２１１Ｂに傾斜面２１１Ｃ，２１１Ｄが形成されたものとすることができる。
【００６８】
また、前記実施形態では、コア両端部２１１Ｂは、ケーシング９１の内周に沿って平面円弧状に形成されていたが、本発明では、図１６に示すように、コア両端部２１１Ｂは、コイル２１２の軸線に沿って平面直線状に形成されていてもよい。
このような形状のアンテナ２１をモジュール９４内に配置した際、コア両端部２１１Ｂのコイル側の端部とケーシング９１間の最短距離（図１６中の寸法Ｄ）は、コア両端部２１１Ｂの先端部とケーシング９１間の最短距離（図１６中の寸法Ｅ）よりも大きく設定される。すると、コア両端部２１１Ｂから発せられる磁束線９７のうち、例えば、磁束線９７Ａ〜９７Ｃは、アンテナ２１と側部磁性部材９５間に広く設けられた空気層を通過するので、ケーシング９１を通過する磁束線９７の量が少なくなり、側部磁性部材９５の効果を大きくすることができる。
ただし、アンテナ２１と側部磁性部材９５との間の空間が広く設けられると、その空間に配置できるモジュール９４の構成はほとんどなく、モジュール９４内における各構成の配置上の制約が厳しくなる。よって、前記実施形態のアンテナ２１のように、コア両端部２１１Ｂは、平面形状がケーシング９１の内周とほぼ同心円の円弧状に形成されて、ケーシング９１の内周面に沿って配置されているほうが、アンテナ２１と側部磁性部材９５との間の空間を小さく設定でき、モジュール９４内における各構成の配置上の自由度が上がるので好ましい。
【００６９】
また、図１６に示すように、コア両端部２１１Ｂが平面直線状に形成された場合、コア両端部２１１Ｂの端面２１１Ｅの法線方向における端面２１１Ｅからケーシング９１までの間隔が前記実施形態よりも小さくなる。
ここで、アンテナ２１が電波を受信する際、電波は端面２１１Ｅから入ってコイル２１２を通過するが、端面２１１Ｅからケーシング９１までの間隔が小さいと、ケーシング９１が電波の受信を阻害してアンテナの受信感度が悪化する心配がある。
従って、図１６に示すように、コア両端部２１１Ｂが平面直線状に形成されているよりも、前記実施形態のアンテナ２１のように、コア両端部２１１Ｂは、平面形状がケーシング９１の内周とほぼ同心円の円弧状に形成されて、ケーシング９１の内周面に沿って配置されているほうが、コア両端部２１１Ｂの端面２１１Ｅの法線方向における端面２１１Ｅからケーシング９１までの間隔が大きく設定され、ケーシング９１が電波の受信を阻害することを抑え、アンテナの受信感度を向上させることができる。
【００７０】
また、コア両端部２１１Ｂの端面２１１Ｅの法線方向におけるモジュール９４の側面に側部磁性部材９５が配置されていると、側部磁性部材９５が電波の受信を阻害してアンテナの受信感度が悪化する心配がある。
よって、図１６に示すように、コア両端部２１１Ｂが平面直線状に形成されているよりも、前記実施形態のようにコア両端部２１１Ｂが平面形状においてケーシング９１の内周とほぼ同心円の円弧状に形成されて、ケーシング９１の内周面に沿って配置されているほうが、モジュール９４の側面上でコア両端部２１１Ｂの端面２１１Ｅの法線と交わる位置と側部磁性部材９５の端部との間隔が大きくなる。よって、側部磁性部材９５が電波の受信を阻害することを抑え、アンテナの受信感度を向上させることができる。
【００７１】
また、前記実施形態では、ケーシング９１がリング状で、モジュール９４が平面円形状に形成されていたが、本発明では、図１７に示すように、ケーシング９１Ａが平面角形状に形成されていてもよい。ケーシング９１Ａ内には平面角形状のモジュール９４Ｃが収納され、モジュール９４Ｃ内部にアンテナ２１がいずれかのケーシング９１Ａ内側面に沿って配置されている。モジュール９４Ｃの側部配置部９４２には側部磁性部材９５Ｂがアンテナ２１とこのアンテナ２１に最も近接するケーシング９１との間に位置するように配置されている。
側部磁性部材９５Ｂの一端部におけるコイル２１２の軸線方向の位置は、コイル２１２の軸線方向に沿った磁性体コア２１１の一端部である一方のコア両端部２１１Ｂの先端位置とされ、また、側部磁性部材９５Ｂの他端部におけるコイル２１２の軸線方向の位置は、磁性体コア２１１の他端部である他方のコア両端部２１１Ｂの先端位置とされている。（図１７中の範囲Ａ３）。
ここで、側部磁性部材９５Ｂの配置範囲としては、側部磁性部材９５Ｂの一端部におけるコイル２１２の軸線方向の位置がコイル２１２の軸線方向に沿ったコイル２１２の一端部の位置から磁性体コア２１１の一端部の位置までの間とされ、また、側部磁性部材９５Ｂの他端部におけるコイル２１２の軸線方向の位置がコイル２１２の軸線方向に沿ったコイル２１２の他端部の位置から磁性体コア２１１の他端部の位置までの間とされていてもよい。つまり、側部磁性部材９５Ｂは、範囲Ａ４よりも大きく範囲Ａ３よりも小さい範囲に配置されていてもよい。
【００７２】
また、前記実施形態では、底部磁性部材９６は、磁性体コア２１１の一端から他端までの範囲よりも小さい範囲を覆うように配置されていたが、本発明では、底部磁性部材９６を磁性体コア２１１の一端から他端までの範囲よりも広い範囲を覆うように配置されていてもよい。すなわち、底部磁性部材９６が電波受信の妨げにならない場合（電波がカバーガラス９２側から外装ケース９内のアンテナ２１に進入する場合）には、モジュール９４の底部配置部９４４に底部磁性部材９６を貼り付けることによって、アンテナ２１のアンテナ特性低下を抑制することができる。アンテナ２１から裏蓋９３側には主に共振のための磁束線が構成されることになるため、金属製の裏蓋９３とアンテナ２１との間の底部配置部９４４はできる限り底部磁性部材９６で覆われているほうがよい。
【００７３】
なお、本発明において、側部磁性部材９５の各端部の位置は、各指定された範囲の上限および下限に対し、側部磁性部材９５の周方向長さの−１０％〜+１０％程度のずれは許容できる。さらには、−５〜＋５％程度のずれであれば、なお好ましい。
【００７４】
また、本発明は、アナログ式の電波修正時計１に限らず、デジタル式の電波修正時計１Ａに適用してもよい。デジタル式の電波修正時計１Ａは、図１８に示すように、アンテナ２１、受信回路部２３、時刻データ記憶回路部２４、駆動制御回路部３、パルス合成回路３１、電力供給手段７である電池７３、リュウズ等の外部入力装置８等の電波修正時計１と同様の構成を備えている。さらに、駆動制御回路部３内には時刻カウンタ６３０が設けられ、時刻カウンタ６３０の時刻データが液晶パネルの駆動回路４３を介して時刻表示手段である液晶パネル４３０に表示されるように構成されている。
なお、時刻カウンタ６３０の値は、パルス合成回路３１からのパルス信号によって変化するとともに、受信回路部２３で受信され時刻データ記憶回路部２４に記憶された時刻データが正しいと判断された場合には、その時刻データによって更新される。
ここで、デジタル式の電波修正時計１Ａの場合は、アンテナ２１、受信回路部２３、時刻データ記憶回路部２４、駆動制御回路部３、パルス合成回路３１、電池７３および液晶パネル４３０等が合成樹脂製のハウジング内に一体的に配置されているモジュールが外装ケースに収納されている。
【００７５】
このようなデジタル式の電波修正時計１Ａにおいても、モジュールの側面に側部突出部および側部配置部を形成し、モジュールの底面に底部突出部および底部配置部を形成し、各配置部に側部磁性部材および底部磁性部材を貼り付けてもよい。そうすれば、前記実施形態と同様に、アンテナ特性の低下を抑えることができる。また、デジタル時計の場合、液晶パネル４３０と回路基板、電池７３等で構成できてアナログ時計に比べて部品点数が少ないため、非常に薄型の時計１Ａにできる。
【００７６】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００７７】
【図１】本発明の一実施形態の正面図。
【図２】一実施形態の制御系の構成を示すブロック図。
【図３】同上実施形態の受信回路部の構成を示すブロック図。
【図４】同上実施形態の構造を示す正面から見た断面図。
【図５】同上実施形態の構造を示す側面から見た断面図。
【図６】同上実施形態のアンテナ周辺を示す正面から見た断面図。
【図７】アンテナによる電波の受信を説明する側面から見た概念図。
【図８】本発明に係るモジュールの変形例を示す正面から見た断面図。
【図９】同上変形例を示す側面から見た断面図。
【図１０】本発明に係るモジュールの他の変形例を示す正面から見た断面図。
【図１１】同上変形例を示す側面から見た断面図。
【図１２】本発明に係る側部磁性部材の変形例を示す正面から見た断面図。
【図１３】本発明に係るアンテナの変形例を示す正面から見た断面図。
【図１４】本発明に係るアンテナの他の変形例を示す正面から見た断面図。
【図１５】本発明に係るアンテナの他の変形例を示す正面から見た断面図。
【図１６】本発明に係るアンテナの他の変形例を示す正面から見た断面図。
【図１７】本発明に係る変形例を示す正面から見た断面図。
【図１８】本発明の他の変形例であるデジタル時計の構成を示すブロック図。
【図１９】アンテナによる電波の受信を説明する概念図。
【図２０】図１９に対して磁性部材を有するアンテナによる電波の受信を説明する概念図。
【符号の説明】
【００７８】
１，１Ａ…電波修正時計（アンテナ内蔵式電子時計）、２…受信手段、９…外装ケース、２１…アンテナ、９１…ケーシング（胴）、９３…裏蓋、９４…モジュール、９５…側部磁性部材、９６…底部磁性部材、２１１…磁性体コア、２１１Ａ…コア中央部、２１１Ｂ…コア両端部、２１１Ｃ，２１１Ｄ…傾斜面、２１２…コイル、９４１…側部突出部、９４２…側部配置部、９４３…底部突出部、９４４…底部配置部。
【図１】
0004697300.tif 000002
【図２】
0004697300.tif 000003
【図３】
0004697300.tif 000004
【図４】
0004697300.tif 000005
【図５】
0004697300.tif 000006
【図６】
0004697300.tif 000007
【図７】
0004697300.tif 000008
【図８】
0004697300.tif 000009
【図９】
0004697300.tif 000010
【図１０】
0004697300.tif 000011
【図１１】
0004697300.tif 000012
【図１２】
0004697300.tif 000013
【図１３】
0004697300.tif 000014
【図１４】
0004697300.tif 000015
【図１５】
0004697300.tif 000016
【図１６】
0004697300.tif 000017
【図１７】
0004697300.tif 000018
【図１８】
0004697300.tif 000019
【図１９】
0004697300.tif 000020
【図２０】
0004697300.tif 000021